(57)【要約】【課題】本体ケースのカバーに開口したガス排気口を外側から覆う防護シートの組立作業性，支持機能の向上が図れるように回路遮断器のアークガス排気構造を改良する。【解決手段】ベース２にカバー３を被着した本体ケース１に、固定接触子７，可動接触子８，消弧装置１０を含む機能部品を搭載した回路遮断器で、固定接触子７はその電源側端子５をベース２の端子台２ａに引出して遮断室内の底部側に延在配置し、カバー３には電源側の端面を覆う遮蔽壁３ａの壁面に消弧装置１０と対向するガス排気口３ｂを開口した上で、該ガス排気口を外側から覆って遮蔽壁３ａの壁面に可撓性の防護シート１５を布設したものにおいて、防護シート１５にはその固定端側を延長して支持片部１５ｂを形成し、この支持片部１５bを本体ケース１の組立状態でカバー３の遮蔽壁３ａの先端と固定接触子７の屈曲部７ａとの間に折り込んで挟持固定する。【選択図】図１
2012248357.tif 000002
【特許請求の範囲】
【請求項１】
両端に電源側，負荷側端子を配置したベースと該ベースの上に重ね合わせて被着したカバーとからなるモールド樹脂製の本体ケースに、固定接触子，可動接触子，グリッド式の消弧装置，開閉機構部，過電流引外し装置を搭載した構成になる回路遮断器であり、
前記固定接触子は前記ベースの電源側の底部に延在配置し、カバーには電源側の端面を覆う遮蔽壁の壁面に前記消弧装置と対向するガス排気口を開口した上で、該ガス排気口を外側から覆って前記遮蔽壁の壁面に可撓性の防護シートを布設したものにおいて、
前記防護シートにはその固定端側を長手方向に延長して支持片部を形成し、ベースにカバーを被着した本体ケースの組立状態で、前記支持片部をカバーの遮蔽壁の先端と前記固定接触子との間に折り込んで挟持固定したことを特徴とする回路遮断器。
【請求項２】
請求項１に記載の回路遮断器において、カバーの遮蔽壁は、その先端が固定接触子に形成した屈曲部の傾斜面に対峙していることを特徴とする回路遮断器。
【請求項３】
請求項１に記載の回路遮断器において、防護シートの固定端側には、前記の支持片部に加えて防護シートの左右側縁に鍔状の係合タブを張り出し形成し、該係合タブをベースの極間絶縁バリアに形成したスリット状の案内溝に挿入して防護シートを起立姿勢に保持したことを特徴とする回路遮断器。
【発明の詳細な説明】
【技術分野】
【０００１】
本発明は、配線用遮断器，漏電遮断器などを対象とする回路遮断器に関し、詳しくは過電流の遮断時に本体ケース内部の遮断室に生じたアークガスを本体ケースの外方に放出する排気構造に関する。
【背景技術】
【０００２】
頭記の回路遮断器は、両端に電源側，負荷側の主回路端子台を形成した箱形のベースと該ベースの上に重ね合わせて被着したカバーとからなるモールド樹脂製の本体ケースに、固定接触子，可動接触子，グリッド式の消弧装置，開閉機構部，過電流引外し装置を搭載した構成になる。そして、主回路に流れる過電流を検出して過電流引外し装置が作動すると、開閉機構部がトリップ動作して可動接触子を開極し、ここで固定接点と可動接点間に生じたアークを消弧装置に押し込んで電流を限流遮断することは周知の通りである。
【０００３】
次に、前記回路遮断器（３極形の回路遮断器）の従来構造（例えば、特許文献１の図５参照）を図４に示す。図において、１はベース２，カバー３，トップカバー４からなるモールド樹脂製の本体ケース、５は電源側端子、６は負荷側端子、７は電源側端子５と一体形成された固定接触子、８は回動式の可動接触子、９は可動接触子８を保持した接触子ホルダー、１０は可動接触子８の開極移動経路に沿って本体ケース１の遮断室内に配置したグリッド式の消弧装置、１１は前記接触子ホルダー９に連して可動接触子８を開閉位置に駆動するトグルリンク式の開閉機構部、１２は開閉操作ハンドル、１３は過電流引外し装置である。
【０００４】
ここで、本体ケース１のベース２には、その両端に形成した端子台２ａに電源側端子５，負荷側端子６を配置し、電源側端子５に連ねて一体に形成した固定接触子７は、消弧装置１０を収容した遮断室の底部側に延在し、締結ねじ１４によりベース２に固定している。なお、２ｂは各極の端子台２ａに対応してその左右両側に起立形成した極間絶縁バリアである。
【０００５】
一方、前記ベース２の上に被着したカバー３については、前記消弧装置１０と対向する電源側の壁面（以下、「遮蔽壁３ａ」と呼称する）に各極の消弧装置１０と個々に対応するガス排気口３ｂを開口し、過電流の遮断時に遮断室内に発生したアークガスを消弧装置１０から前記ガス排気口３bを通じてケース外方に逃がすようにしている。また、３ｃは前記したベース２の極間絶縁バリア２ｂに合わせてカバー３の端部に突き出し形成した極間絶縁バリアである。
【０００６】
なお、図４では回路遮断器の操作ハンドル１２を上に向けて横置姿勢で描いているが、この回路遮断器を制御盤などの盤内に設置する際には、操作ハンドル１２を正面に、電源側端子５を上に向けた縦向き姿勢で盤側の支持レールなどに設置するようにしている。
【０００７】
このために、回路遮断器を盤内に設置した状態では、カバー３に開口した前記ガス排気口３ｂが上向きとなり、このままでは上方から落下する異物，塵埃がガス排気口３bを通じて本体ケース１の遮断室に侵入するおそれがある。そこで、従来の回路遮断器では、カバー３の遮蔽壁３ａに開口したガス排気口３ｂを外側から覆うように撓み性を有する防護シート１５を布設している。この防護シート１５は一種のダイヤフラム・チェック弁として機能し、常時は防護シート１５がカバー３に開設したガス排気口３ｂを閉塞している。そして、過電流遮断時には本体ケース１の遮断室に生じたアークガスのガス圧を受けて防護シート１５が外側に撓んでガス排気口３ｂを開放し、消弧装置１０を通じてアークガスを本体ケース1の外方に放出する。
【０００８】
この防護シート１５は、難燃性，耐熱性，撓み性を有する厚さ０．４mm程度の絶縁シート（例えばノーメックス（ＮＯＭＥＸ）紙：デュポン（株）の製品名）で作られている。そして、特許文献１に開示されている回路遮断器では、図５〜図７で示すように防護シート１５の左右両側縁にアーム状の支持片１５ａを形成し、この支持片１５ａを本体ケース１のベース２とカバー３に跨がって極間絶縁バリア２ｂ，３ｃの基部に形成したスリット状の係合溝に差し込んで保持し、さらに遮蔽壁３ａの上端に形成した係合爪３ｄに防護シート１５の先端を引っ掛けて閉塞位置に係合保持するようにしている。
【先行技術文献】
【特許文献】
【０００９】
【特許文献１】特開２０１０−２５１０３５号公報
【発明の概要】
【発明が解決しようとする課題】
【００１０】
ところで、図５〜図７に示した従来のアークガス排気構造は、防護シートの保持機能，およびその組立作業の面で次記のような課題がある。
すなわち、回路遮断器の製品組立工程で本体ケース１に防護シート１５を組み付けるには、その作業手順として防護シート１５の左右両サイドに形成した支持片１５ａをカバー３の極間絶縁バリア３ｃに形成したスリット状の係合溝に差込んで仮保持しておき（図７参照）、この状態で次に機能部品を組み込んだベース２の上にカバー３を下向きに被着してベース２とカバー３の間をボルト締結するようにしている。
【００１１】
この組立方法では、カバー３の取付作業の途中でカバー３に仮保持した防護シート１５の位置がずれ動いたり、誤ってカバー３から抜け落ちたりすることがあるほか、カバー３をベース２の上に被着する際にカバー３から下方に突き出た防護シート１５の先端がベース２に当たって位置がずれるなどの不具合が生じ易く、このために防護シート１５を所定位置に正しく係合保持させるには細心な注意と手間を要する組立作業性の問題がある。
【００１２】
そのほか、短絡電流などの大電流遮断時には、遮断室から消弧装置１０を経てカバー３のガス排気口３ｂに吹き出すアークガスのガス圧（図５の矢印Ｐ）が大きくなり、このためにベース２，カバー３の係合溝に差込み保持した防護シート１５の支持片１５ａが簡単に抜け出して、アークガスと一緒に本体ケース１の外側に吹き飛ばされて脱落してしまうおそれがある。
【００１３】
本発明は、上記の点に鑑みなされたものであり、その目的は前記課題を解決し、従来構造と比べて防護シートの組立作業性，および支持機能の向上が図れるようにアークガス排気構造を改良した回路遮断器を提供することにある。
【課題を解決するための手段】
【００１４】
上記目的を達成するために、本発明によれば、両端に電源側，負荷側端子を配置したベースと該ベースの上に重ね合わせて被着したカバーとからなるモールド樹脂製の本体ケースに、固定接触子，可動接触子，グリッド式の消弧装置，開閉機構部，過電流引外し装置を搭載した構成になる回路遮断器であって、前記固定接触子はベースの電源側の底部に延在配置し、カバーにはその電源側端面を覆う遮蔽壁の壁面に前記消弧装置と対向するガス排気口を開口した上で、該ガス排気口を外側から覆って前記遮蔽壁の壁面に可撓性の防護シートを布設したものにおいて、
前記防護シートにその固定端側を延長して支持片部を形成し、ベースにカバーを被着した本体ケースの組立状態で、前記支持片部をカバーの遮蔽壁の先端と前記固定接触子との間に折り込んで挟持固定する（請求項１）。
【００１５】
また、前記構成において、
（１）カバーの遮蔽壁は、その先端が固定接触子に形成した屈曲部の傾斜面と対峙するように設定する（請求項２）。
（２）防護シートの固定端側には、前記の支持片部に加えて防護シートの左右側縁に鍔状の係合タブを張り出し形成し、該係合タブをベースの極間絶縁バリアに形成した縦向きのスリット状案内合溝に挿入して防護シートを起立姿勢に保持する（請求項３）。
【発明の効果】
【００１６】
上記の構成によれば、防護シートの組立作業性，および支持機能の面で次記のような効果を奏する。
まず、防護シートを回路遮断器の本体ケースに組み付ける作業手順は、従来構造のように防護シートをカバーの端面に差し込んでカバーに仮保持にさせる作業は必要なく、ベースの端子台に載置した電源側端子から遮断室に向けて延在する固定接触子の上に防護シートの支持片部を添わせるように挿入して所定位置に位置決めした上で、ベースの上にカバーを重ね合わせて被着する。これにより、防護シートの支持片部が固定接触子に形成した屈曲部とこの屈曲部の傾斜面に対峙するカバーの遮蔽壁の先端との間に折り込まれる形でこの位置に挟持固定される。したがって、従来構造と比べて防護シートの装着作業が簡易となってその組立作業性を大幅に改善できる。
【００１７】
また、この防護シートの折り込み支持構造によれば、回路遮断器の電流遮断時に発生する遮断室のアークガス圧が防護シートに加わっても、防護シートの支持片部が挟持箇所から外れて本体ケースの外側に吹き飛ばされないよう安全，かつ確実に係止保持することができる。そのほか、防護シートの支持片部を遮蔽壁の先端と固定接触子との間に挟み込んで密着した状態に挟持固定したことにより、この部分に隙間が残ることがなくてケース外方から遮断室内に塵埃が侵入するのを防止できる。
【図面の簡単な説明】
【００１８】
【図１】本発明の実施例による防護シートの支持構造を表す回路遮断器の電源側部分の側視断面図である。
【図２】図１における本体ケースの電源側端部，および防護シートの外形斜視図である。
【図３】図１に対応する構造の斜視断面図である。
【図４】本発明の実施対象となる配線用遮断器の全体構造を表す側視断面図である。
【図５】特許文献１に開示されている回路遮断器の防護シート支持構造を表す側視断面図である。
【図６】図５の回路遮断器に対応する本体ケースの分解斜視図である。
【図７】図５における防護シートの取付け作業手順を表す説明図である。
【発明を実施するための形態】
【００１９】
以下、本発明の実施の形態を図１〜図３に示す実施例に基づいて説明する。なお、実施例の図中で図５に対応する部材には同じ符号を付してその説明は省略する。
図示実施例の回路遮断器においては、カバー３の遮蔽壁３ａに開口したガス排気口３ｂを外側から覆うように遮蔽壁３ａの前面に布設した防護シート１５が次記のような支持構造で所定位置に係合支持される。
【００２０】
すなわち、従来品と同様に難燃性，耐熱性，撓み性を有する厚さ０．４mm程度の絶縁シート（例えばノーメックス（ＮＯＭＥＸ）紙：デュポン（株）の製品名）で作られた図示実施例の防護シート１５には、図７に示した左右側縁のアーム状支持片１５ａに代えて、図２で示すようにシートの固定端側（下部）から長手方向に延在する支持片部１５ｂ、および左右両側縁に張り出す鍔状の係合タブ１５ｃが形成されている。
【００２１】
一方、カバー３の電源側端部に形成した遮蔽壁３ａは、その先端３ａ−１がベース２の端子台２ａに配した電源側端子５の後端から遮断室に向けて延在する固定接触子７の途中箇所に形成した屈曲部７ａに対峙してその傾斜面と当接するように壁の長さを設定している。また、ベース２にはその端子台２ａの左右両側に立設した極間絶縁バリア２ｂの基部に沿って縦向きにスリット状の案内溝２ｂ−１が形成されている。
【００２２】
そして、前記防護シート１５を本体ケース１に組み付ける際には、その組立手順として、まず機能部品を搭載したベース２に対し、防護シート１５の左右側縁に形成した係合タブ１５ｃを上方から極間絶縁バリア２ｂの基部に形成したスリット状の案内溝２ｂ−１に挿入し、該案内溝２ｂ−１に沿って防護シート１５を所定位置まで送り込む。これにより、防護シート１５の先端側に延在する支持片部１５ｂが固定接触子７の上に重なり、その屈曲部７ａの傾斜面に沿って先端が図示のように垂れ下がる。また、防護シート１５の上半部（自由端側）は前記案内溝２ｂ−１に沿って起立姿勢に保たれる。
【００２３】
この状態で、ベース２の上にカバー３を嵌め合わせて被着すると、防護シート１５の支持片部１５ｂがカバー３に形成した遮蔽壁３ａの先端３ａ−１と固定接触子７の屈曲部７ａとの間に挟まれ、図示のように折り込まれた状態で挟持固定される。また、防護シート１５の上半部（自由端側）は遮蔽壁３ａに開口したガス排気口３ｂを外側から覆うように起立して遮蔽壁３ａの前面側に起立延在し、この位置で防護シート１５の上端縁を遮蔽壁３ａの上端前面に形成した係合爪３ｄに引っ掛けて組立作業が完了する。
【００２４】
上記した防護シート１５の支持構造によれば、図５〜図７で述べた従来の支持構造と比較して本体ケース１に組み付ける際の作業手順が簡易となって組立作業性が大幅に改善される。また、防護シート１５の組み付け状態では、カバー３の遮蔽壁３ａの先端とベース２に搭載した固定接触子７との間に隙間が生じることがなく、これにより周囲から塵埃が遮断室に侵入するのを防ぐことができる。
【００２５】
一方、回路遮断器のオン状態で、短絡電流などの過大電流遮断時に本体ケース１の遮断室に生じたアークガス圧（図１の矢印Ｐ）を受けて防護シート１５が図１の鎖線で表すように遮蔽壁３ａの外側に湾曲しても、防護シート１５の固定側端が前記のように遮蔽壁３ａの先端と固定接触子７の屈曲部７ａとの間に折り込んで強固に挟持固定されているので、防護シート１５がアークガスと一緒に本体ケース１の外側に吹き飛ばされる恐れ無しに安全に保持できる。また、電流遮断後は防護シート１５の先端をカバー３の係合爪３ｄに引っ掛けて当初の位置に戻すことで、防護シート１５を継続して使用できる。
【符号の説明】
【００２６】
１    本体ケース
２    ベース
２ａ  端子台
２ｂ  極間絶縁バリア
２ｂ−１  案内溝
３    カバー
３ａ  遮蔽壁
３ｂ  ガス排気口
５    電源側端子
７    固定接触子
７ａ  後傾屈曲部
８    可動接触子
１０    消弧装置
１１    開閉機構部
１５    防護シート
１５ｂ  支持片部
１５ｃ  係合タブ
【図１】
2012248357.tif 000003
【図２】
2012248357.tif 000004
【図３】
2012248357.tif 000005
【図４】
2012248357.tif 000006
【図５】
2012248357.tif 000007
【図６】
2012248357.tif 000008
【図７】
2012248357.tif 000009